(57)【要約】  本願の実施例は、５ＧシステムにおいてＳＲＳ伝送を実現することができるＳＲＳ伝送方法及びデバイスを提供する。該方法は、ネットワークデバイスにより送信された下り制御情報ＤＣＩを受信することと、伝送遅延Ｋに応じて、前記ＤＣＩを受信した後のＫ番目の時間領域リソースユニット又はその後で、前記ＳＲＳトリガー情報が示すＳＲＳリソースセットのＳＲＳリソースにおいてＳＲＳを伝送することとを含み、ここで、前記ＤＣＩがＳＲＳトリガー情報を含み、Ｋが０以上の整数である。
2021516477.tif 000002
【特許請求の範囲】
【請求項１】
ネットワークデバイスにより送信された下り制御情報ＤＣＩを受信することと、
伝送遅延Ｋに応じて、前記ＤＣＩを受信した後のＫ番目の時間領域リソースユニット又はその後で、ＳＲＳトリガー情報が示すＳＲＳリソースセットのＳＲＳリソースにおいてＳＲＳを伝送することとを含み、
前記ＤＣＩが前記ＳＲＳトリガー情報を含み、Ｋが０以上の整数である
ことを特徴とするサウンディングリファレンス信号ＳＲＳ伝送方法。
【請求項２】
前記方法は、さらに、
前記ＤＣＩから前記伝送遅延Ｋを取得することを含む
ことを特徴とする請求項１に記載のＳＲＳ伝送方法。
【請求項３】
前記ＤＣＩから前記伝送遅延Ｋを取得することは、
前記ＤＣＩ内のＳＲＳ伝送遅延指示情報から、前記伝送遅延Ｋを取得することを含む
ことを特徴とする請求項２に記載のＳＲＳ伝送方法。
【請求項４】
前記ＤＣＩから前記伝送遅延Ｋを取得することは、
前記ＤＣＩ内の物理上り共有チャネルＰＵＳＣＨ時間領域リソース指示情報から前記ＰＵＳＣＨの伝送遅延Ｍを決定することと、
前記伝送遅延Ｍに基づいて、前記伝送遅延Ｋを決定することとを含む
ことを特徴とする請求項２に記載のＳＲＳ伝送方法。
【請求項５】
前記方法は、さらに、
第１の上位層シグナリングに基づいて前記伝送遅延Ｋを決定することを含む
ことを特徴とする請求項１に記載のＳＲＳ伝送方法。
【請求項６】
前記第１の上位層シグナリングに基づいて前記伝送遅延Ｋを決定することは、
前記第１の上位層シグナリング内のＳＲＳ伝送遅延指示情報から、前記伝送遅延Ｋを決定することを含む
ことを特徴とする請求項５に記載のＳＲＳ伝送方法。
【請求項７】
前記第１の上位層シグナリングに基づいて前記伝送遅延Ｋを決定することは、
前記第１の上位層シグナリングから、前記伝送遅延Ｋを取得するための方式を決定することと、
決定された前記方式を利用して、前記伝送遅延Ｋを決定することとを含む
ことを特徴とする請求項５に記載のＳＲＳ伝送方法。
【請求項８】
前記伝送遅延Ｋを取得するための方式は、
前記ＤＣＩから前記伝送遅延Ｋを取得すること、又は、
第２の上位層シグナリングから前記伝送遅延Ｋを取得すること、又は、
約定された固定値を前記伝送遅延Ｋとすることである
ことを特徴とする請求項７に記載のＳＲＳ伝送方法。
【請求項９】
前記方法は、さらに、
前記ＤＣＩのＤＣＩフォーマットに基づいて前記伝送遅延Ｋを決定することを含む
ことを特徴とする請求項１に記載のＳＲＳ伝送方法。
【請求項１０】
前記ＤＣＩのＤＣＩフォーマットに基づいて前記伝送遅延Ｋを決定することは、
前記ＤＣＩのＤＣＩフォーマットがＰＵＳＣＨ伝送をスケジューリングする場合、前記ＤＣＩ内のＰＵＳＣＨ時間領域リソース指示情報から前記ＰＵＳＣＨの伝送遅延Ｍを決定することと、
前記伝送遅延Ｍに基づいて、前記伝送遅延Ｋを決定することとを含む
ことを特徴とする請求項９に記載のＳＲＳ伝送方法。
【請求項１１】
前記ＤＣＩのＤＣＩフォーマットに基づいて前記伝送遅延Ｋを決定することは、
前記ＤＣＩのＤＣＩフォーマットが物理下り共有チャネルＰＤＳＣＨ伝送をスケジューリングする場合、第３の上位層シグナリングから前記伝送遅延Ｋを決定し、又は、約定された固定値を前記伝送遅延Ｋとすることを含む
ことを特徴とする請求項９に記載のＳＲＳ伝送方法。
【請求項１２】
前記ＤＣＩのＤＣＩフォーマットに基づいて前記伝送遅延Ｋを決定することは、
前記ＤＣＩのＤＣＩフォーマットがＳＲＳ電力制御に使用される場合、第３の上位層シグナリングから前記伝送遅延Ｋを決定し、又は、約定された固定値を前記伝送遅延Ｋとすることを含む
ことを特徴とする請求項９に記載のＳＲＳ伝送方法。
【請求項１３】
前記方法は、さらに、
前記ＳＲＳトリガー情報がトリガーするＳＲＳ伝送に使用されるサブキャリア間隔、又は、前記ＤＣＩを受信するＢＷＰに対応するサブキャリア間隔に基づいて、前記伝送遅延Ｋを決定することを含む
ことを特徴とする請求項１に記載のＳＲＳ伝送方法。
【請求項１４】
前記ＳＲＳトリガー情報が示すＳＲＳリソースセットのＳＲＳリソースにおいてＳＲＳを伝送することは、
前記Ｋ番目の時間領域リソースユニット又はその後で、前記ＳＲＳトリガー情報が示す各ＳＲＳリソースセットに含まれる各ＳＲＳリソースのうちの最も近いリソースにおいて、ＳＲＳ信号を伝送することを含む
ことを特徴とする請求項１〜１３のいずれか１項に記載のＳＲＳ伝送方法。
【請求項１５】
前記ＳＲＳトリガー情報が示すＳＲＳリソースセットのＳＲＳリソースにおいてＳＲＳを伝送することは、
前記Ｋ番目の時間領域リソースユニット又はその後で、前記ＳＲＳトリガー情報が示す各ＳＲＳリソースセットの最も近い１の伝送周期又は周波数ホッピング周期内のＳＲＳリソースにおいて、前記ＳＲＳを伝送することを含む
ことを特徴とする請求項１〜１３のいずれか１項に記載のＳＲＳ伝送方法。
【請求項１６】
前記ＳＲＳトリガー情報が示すＳＲＳリソースセットのＳＲＳリソースにおいてＳＲＳを伝送することは、
前記Ｋ番目の時間領域リソースユニットで、前記ＳＲＳトリガー情報が示す各ＳＲＳリソースセットに含まれる各ＳＲＳリソースにおいて、ＳＲＳ信号を伝送することを含み、前記スロットリソースユニットがスロットである
ことを特徴とする請求項１〜１３のいずれか１項に記載のＳＲＳ伝送方法。
【請求項１７】
前記ＳＲＳトリガー情報が示すＳＲＳリソースセットのＳＲＳリソースにおいてＳＲＳを伝送することは、
前記Ｋが０である場合、前記ＤＣＩの所在のスロットで、前記ＳＲＳトリガー情報が示すＳＲＳリソースセットのＳＲＳリソースにおいてＳＲＳを伝送することを含み、
前記時間領域リソースユニットがスロットである
ことを特徴とする請求項１〜１６のいずれか１項に記載のＳＲＳ伝送方法。
【請求項１８】
前記方法は、さらに、
前記ＤＣＩにＳＲＳ電力制御のための送信電力制御ＴＰＣコマンドが含まれる場合、前記ＴＰＣコマンドを利用して前記ＳＲＳ伝送を電力制御することを含む
ことを特徴とする請求項１〜１７のいずれか１項に記載のＳＲＳ伝送方法。
【請求項１９】
前記ＳＲＳトリガー情報が示すＳＲＳリソースセットのＳＲＳリソースにおいてＳＲＳを伝送することは、
前記ＳＲＳトリガー情報が複数のＢＷＰ上のＳＲＳリソースセットを示し、又は、複数のＢＷＰ上のＳＲＳリソースを含むＳＲＳリソースセットを示す場合、現在活性化されたＢＷＰ内のＳＲＳリソースにおいて、ＳＲＳを伝送することを含む
ことを特徴とする請求項１〜１６のいずれか１項に記載のＳＲＳ伝送方法。
【請求項２０】
前記ＳＲＳトリガーシグナリングは、少なくとも１つのＳＲＳリソースセット上の非周期的ＳＲＳ伝送をトリガーするために用いられる
ことを特徴とする請求項１〜１９のいずれか１項に記載のＳＲＳ伝送方法。
【請求項２１】
前記時間領域リソースユニットは、スロット、又は、サブフレーム、又は、直交周波数分割多重ＯＦＤＭシンボル、又は、マイクロスロット、又は、ＰＵＳＣＨ/ＰＤＳＣＨ伝送時間である
ことを特徴とする請求項１〜２０のいずれか１項に記載のＳＲＳ伝送方法。
【請求項２２】
端末デバイスに下り制御情報ＤＣＩを送信することと、
伝送遅延Ｋに応じて、前記ＤＣＩを送信した後のＫ番目の時間領域リソースユニット又はその後で、ＳＲＳトリガー情報が示すＳＲＳリソースセット内のＳＲＳリソースにおいて、ＳＲＳを受信することとを含み、
前記ＤＣＩが前記ＳＲＳトリガー情報を含み、Ｋが０以上の整数である
ことを特徴とするＳＲＳ伝送方法。
【請求項２３】
前記方法は、さらに、
前記ＤＣＩ内のＳＲＳ伝送遅延指示情報で前記伝送遅延Ｋを示すことを含む
ことを特徴とする請求項２２に記載のＳＲＳ伝送方法。
【請求項２４】
前記方法は、さらに、
第１の上位層シグナリングで前記伝送遅延Ｋを示すことを含む
ことを特徴とする請求項２２に記載のＳＲＳ伝送方法。
【請求項２５】
前記方法は、さらに、
第２の上位層シグナリングを利用して、前記端末デバイスが前記伝送遅延Ｋを取得する方式を指示することを含む
ことを特徴とする請求項２２に記載のＳＲＳ伝送方法。
【請求項２６】
前記端末デバイスが前記伝送遅延Ｋを取得する方式ことは、
前記ＤＣＩから前記伝送遅延Ｋを取得すること、又は、
第３の上位層シグナリングから前記伝送遅延Ｋを取得すること、又は、
約定された固定値を前記伝送遅延Ｋとすることである
ことを特徴とする請求項２５に記載のＳＲＳ伝送方法。
【請求項２７】
前記ＤＣＩ的ＤＣＩフォーマットに基づいて、前記伝送遅延Ｋを指示する方法を決定する
ことを特徴とする請求項２２に記載のＳＲＳ伝送方法。
【請求項２８】
前記方法は、さらに、
前記ＳＲＳトリガー情報がトリガーするＳＲＳ伝送に使用されるサブキャリア間隔、又は、前記ＤＣＩのＢＷＰに対応するサブキャリア間隔に基づいて、前記伝送遅延Ｋを決定することを含む
ことを特徴とする請求項２２に記載のＳＲＳ伝送方法。
【請求項２９】
前記ＳＲＳトリガー情報が示すＳＲＳリソースセット内のＳＲＳリソースにおいて、ＳＲＳを受信することは、
前記Ｋ番目の時間領域リソースユニット又はその後で、前記ＳＲＳトリガー情報が示す各ＳＲＳリソースセットに含まれる各ＳＲＳリソースのうちの最も近いソースにおいて、ＳＲＳ信号を受信することを含む
ことを特徴とする請求項２２〜２８のいずれか１項に記載のＳＲＳ伝送方法。
【請求項３０】
前記ＳＲＳトリガー情報が示すＳＲＳリソースセット内のＳＲＳリソースにおいて、ＳＲＳを受信することは、
前記Ｋ番目の時間領域リソースユニット又はその後で、前記ＳＲＳトリガー情報が示す各ＳＲＳリソースセットの最も近い１つの伝送周期又は周波数ホッピング周期内のＳＲＳリソースにおいて、前記ＳＲＳを受信することを含む
ことを特徴とする請求項２２〜２９のいずれか１項に記載のＳＲＳ伝送方法。
【請求項３１】
前記ＳＲＳトリガー情報が示すＳＲＳリソースセット内のＳＲＳリソースにおいて、ＳＲＳを受信することは、
前記Ｋ番目の時間領域リソースユニットで、前記ＳＲＳトリガー情報が示す各ＳＲＳリソースセットに含まれる各ＳＲＳリソースにおいて、ＳＲＳ信号を受信することを含み、前記スロットリソースユニットがスロットである
ことを特徴とする請求項２２〜３０のいずれか１項に記載のＳＲＳ伝送方法。
【請求項３２】
前記ＳＲＳトリガー情報が示すＳＲＳリソースセット内のＳＲＳリソースにおいて、ＳＲＳを受信することは、
前記ＳＲＳトリガー情報が複数のＢＷＰ上のＳＲＳリソースセットを示し、又は、複数のＢＷＰ上のＳＲＳリソースを含むＳＲＳリソースセットを示す場合、現在活性化されたＢＷＰ上のＳＲＳリソースにおいて、ＳＲＳを受信することを含む
ことを特徴とする請求項２２〜３１のいずれか１項に記載のＳＲＳ伝送方法。
【請求項３３】
前記時間領域リソースユニットは、スロット、又は、サブフレーム、又は、直交周波数分割多重ＯＦＤＭシンボル、又は、マイクロスロット、又は、ＰＵＳＣＨ/物理下り共有チャネルＰＤＳＣＨ伝送時間である
ことを特徴とする請求項２２〜３２のいずれか１項に記載のＳＲＳ伝送方法。
【請求項３４】
通信ユニットと、処理ユニットと、を備える端末デバイスであって、
前記通信ユニットは、ネットワークデバイスにより送信された下り制御情報ＤＣＩを受信するように構成され、前記ＤＣＩがＳＲＳトリガー情報を含み、
前記処理ユニットは、伝送遅延Ｋを決定するように構成され、Ｋが０以上の整数であり、
前記通信ユニットは、さらに、伝送遅延Ｋに応じて、前記ＤＣＩを受信した後のＫ番目の時間領域リソースユニット又はその後で、前記ＳＲＳトリガー情報が示すＳＲＳリソースセットのＳＲＳリソースにおいてＳＲＳを伝送するように構成され、Ｋが０以上の整数である
ことを特徴とする端末デバイス。
【請求項３５】
前記処理ユニットは、さらに、
前記ＤＣＩから前記伝送遅延Ｋを取得するように構成される
ことを特徴とする請求項３４に記載の端末デバイス。
【請求項３６】
前記処理ユニットは、さらに、
前記ＤＣＩ内のＳＲＳ伝送遅延指示情報から、前記伝送遅延Ｋを取得するように構成される
ことを特徴とする請求項３５に記載の端末デバイス。
【請求項３７】
前記処理ユニットは、さらに、
前記ＤＣＩ内の物理上り共有チャネルＰＵＳＣＨ時間領域リソース指示情報から前記ＰＵＳＣＨの伝送遅延Ｍを決定し、
前記伝送遅延Ｍに基づいて、前記伝送遅延Ｋを決定するように構成される
ことを特徴とする請求項３５に記載の端末デバイス。
【請求項３８】
前記処理ユニットは、さらに、
第１の上位層シグナリングに基づいて前記伝送遅延Ｋを決定するように構成される
ことを特徴とする請求項３４に記載の端末デバイス。
【請求項３９】
前記処理ユニットは、さらに、
前記第１の上位層シグナリング内のＳＲＳ伝送遅延指示情報から、前記伝送遅延Ｋを決定するように構成される
ことを特徴とする請求項３８に記載の端末デバイス。
【請求項４０】
前記処理ユニットは、さらに、
前記第１の上位層シグナリングから、前記伝送遅延Ｋを取得するための方式を決定し、
決定された前記方式を利用して、前記伝送遅延Ｋを決定するように構成される
ことを特徴とする請求項３８に記載の端末デバイス。
【請求項４１】
前記伝送遅延Ｋを取得するための方式は、
前記ＤＣＩから前記伝送遅延Ｋを取得すること、又は、
第２の上位層シグナリングから前記伝送遅延Ｋを取得すること、又は、
約定された固定値を前記伝送遅延Ｋとすることである
ことを特徴とする請求項４０に記載の端末デバイス。
【請求項４２】
前記処理ユニットは、さらに、
前記ＤＣＩのＤＣＩフォーマットに基づいて前記伝送遅延Ｋを決定するように構成される
ことを特徴とする請求項３４に記載の端末デバイス。
【請求項４３】
前記処理ユニットは、さらに、
前記ＤＣＩのＤＣＩフォーマットがＰＵＳＣＨ伝送をスケジューリングする場合、前記ＤＣＩ内のＰＵＳＣＨ時間領域リソース指示情報から前記ＰＵＳＣＨの伝送遅延Ｍを決定し、
前記伝送遅延Ｍに基づいて、前記伝送遅延Ｋを決定するように構成される
ことを特徴とする請求項４２に記載の端末デバイス。
【請求項４４】
前記処理ユニットは、さらに、
前記ＤＣＩのＤＣＩフォーマットが物理下り共有チャネルＰＤＳＣＨ伝送をスケジューリングする場合、第３の上位層シグナリングから前記伝送遅延Ｋを決定し、又は、約定された固定値を前記伝送遅延Ｋとするように構成される
ことを特徴とする請求項４２に記載の端末デバイス。
【請求項４５】
前記処理ユニットは、さらに、
前記ＤＣＩのＤＣＩフォーマットがＳＲＳ電力制御に使用される場合、第３の上位層シグナリングから前記伝送遅延Ｋを決定し、又は、約定された固定値を前記伝送遅延Ｋとするように構成される
ことを特徴とする請求項４２に記載の端末デバイス。
【請求項４６】
前記処理ユニットは、さらに、
前記ＳＲＳトリガー情報がトリガーするＳＲＳ伝送に使用されるサブキャリア間隔、又は、前記ＤＣＩを受信するＢＷＰに対応するサブキャリア間隔に基づいて、前記伝送遅延Ｋを決定するように構成される
ことを特徴とする請求項３４に記載の端末デバイス。
【請求項４７】
前記通信ユニットは、さらに、
前記Ｋ番目の時間領域リソースユニット又はその後で、前記ＳＲＳトリガー情報が示す各ＳＲＳリソースセットに含まれる各ＳＲＳリソースのうちの最も近いリソースにおいて、ＳＲＳ信号を伝送するように構成される
ことを特徴とする請求項３４〜４６のいずれか１項に記載の端末デバイス。
【請求項４８】
前記通信ユニットは、さらに、
前記Ｋ番目の時間領域リソースユニット又はその後で、前記ＳＲＳトリガー情報が示す各ＳＲＳリソースセットの最も近い１つの伝送周期又は周波数ホッピング周期のＳＲＳリソースにおいて、前記ＳＲＳを伝送するように構成される
ことを特徴とする請求項３４〜４６のいずれか１項に記載の端末デバイス。
【請求項４９】
前記処理ユニットは、さらに、
前記Ｋ番目の時間領域リソースユニットで、前記ＳＲＳトリガー情報が示す各ＳＲＳリソースセットに含まれる各ＳＲＳリソースにおいて、ＳＲＳ信号を伝送するように構成され、前記スロットリソースユニットがスロットである
ことを特徴とする請求項３４〜４６のいずれか１項に記載の端末デバイス。
【請求項５０】
前記通信ユニットは、さらに、
前記Ｋが０である場合、前記ＤＣＩの所在のスロットで、前記ＳＲＳトリガー情報が示すＳＲＳリソースセットのＳＲＳリソースにおいてＳＲＳを伝送するように構成され、前記時間領域リソースユニットがスロットである
ことを特徴とする請求項３４〜４６のいずれか１項に記載の端末デバイス。
【請求項５１】
前記処理ユニットは、さらに、
前記ＤＣＩにＳＲＳ電力制御のための送信電力制御ＴＰＣコマンドが含まれる場合、前記ＴＰＣコマンドを利用して前記ＳＲＳ伝送を電力制御するように構成される
ことを特徴とする請求項３４〜４６のいずれか１項に記載の端末デバイス。
【請求項５２】
前記通信ユニットは、さらに、
前記ＳＲＳトリガー情報が複数のＢＷＰ上のＳＲＳリソースセットを示し、又は、複数のＢＷＰ上のＳＲＳリソースを含むＳＲＳリソースセットを示す場合、現在活性化されたＢＷＰ内のＳＲＳリソースにおいて、ＳＲＳを伝送するように構成される
ことを特徴とする請求項３４〜５１のいずれか１項に記載の端末デバイス。
【請求項５３】
前記ＳＲＳトリガーシグナリングは、少なくとも１つのＳＲＳリソースセット上の非周期的ＳＲＳ伝送をトリガーするために用いられる
ことを特徴とする請求項３４〜５２のいずれか１項に記載の端末デバイス。
【請求項５４】
前記時間領域リソースユニットは、スロット、又は、サブフレーム、又は、直交周波数分割多重ＯＦＤＭシンボル、又は、マイクロスロット、又は、ＰＵＳＣＨ/ＰＤＳＣＨ伝送時間である
ことを特徴とする請求項３４〜５３のいずれか１項に記載の端末デバイス。
【請求項５５】
通信ユニットと、処理ユニットと、を備えるネットワークデバイスであって、
前記通信ユニットは、端末デバイスに下り制御情報ＤＣＩを送信するように構成され、前記ＤＣＩがＳＲＳトリガー情報を含み、
前記処理ユニットは、伝送遅延Ｋを決定するように構成され、
前記通信ユニットは、さらに、伝送遅延Ｋに応じて、前記ＤＣＩを送信した後のＫ番目の時間領域リソースユニット又はその後で、前記ＳＲＳトリガー情報が示すＳＲＳリソースセット内のＳＲＳリソースにおいて、ＳＲＳを受信するように構成され、Ｋが０以上の整数である
ことを特徴とするネットワークデバイス。
【請求項５６】
前記通信ユニットは、さらに、
前記ＤＣＩ内のＳＲＳ伝送遅延指示情報で前記伝送遅延Ｋを示すように構成される
ことを特徴とする請求項５５に記載のネットワークデバイス。
【請求項５７】
前記通信ユニットは、さらに、
第２の上位層シグナリングで前記伝送遅延Ｋを示すように構成される
ことを特徴とする請求項５５に記載のネットワークデバイス。
【請求項５８】
前記通信ユニットは、さらに、
第２の上位層シグナリングを利用して、前記端末デバイスが前記伝送遅延Ｋを取得する方式を指示するように構成される
ことを特徴とする請求項５５に記載のネットワークデバイス。
【請求項５９】
前記端末デバイスが前記伝送遅延Ｋを取得する方式ことは、
前記ＤＣＩから前記伝送遅延Ｋを取得すること、又は、
第３の上位層シグナリングから前記伝送遅延Ｋを取得すること、又は、
約定された固定値を前記伝送遅延Ｋとすることである
ことを特徴とする請求項５８に記載のネットワークデバイス。
【請求項６０】
前記処理ユニットは、さらに、
前記ＤＣＩ的ＤＣＩフォーマットに基づいて、前記伝送遅延Ｋを指示する方法を決定するように構成される
ことを特徴とする請求項５５に記載のネットワークデバイス。
【請求項６１】
前記処理ユニットは、さらに、
前記ＳＲＳトリガー情報がトリガーするＳＲＳ伝送に使用されるサブキャリア間隔、又は、前記ＤＣＩのＢＷＰに対応するサブキャリア間隔に基づいて、前記伝送遅延Ｋを決定するように構成される
ことを特徴とする請求項５５に記載のネットワークデバイス。
【請求項６２】
前記通信ユニットは、さらに、
前記Ｋ番目の時間領域リソースユニット又はその後で、前記ＳＲＳトリガー情報が示す各ＳＲＳリソースセットに含まれる各ＳＲＳリソースのうちの最も近いソースにおいて、ＳＲＳ信号を受信するように構成される
ことを特徴とする請求項５５〜６１のいずれか１項に記載のネットワークデバイス。
【請求項６３】
前記通信ユニットは、さらに、
前記Ｋ番目の時間領域リソースユニット又はその後で、前記ＳＲＳトリガー情報が示す各ＳＲＳリソースセットの最も近い１つの伝送周期又は周波数ホッピング周期内のＳＲＳリソースにおいて、前記ＳＲＳを受信するように構成される
ことを特徴とする請求項５５〜６１のいずれか１項に記載のネットワークデバイス。
【請求項６４】
前記ＳＲＳトリガー情報が示すＳＲＳリソースセットのＳＲＳリソースにおいてＳＲＳを伝送することは、
前記Ｋ番目の時間領域リソースユニットで、前記ＳＲＳトリガー情報が示す各ＳＲＳリソースセットに含まれる各ＳＲＳリソースにおいて、ＳＲＳ信号を受信することを含み、前記スロットリソースユニットがスロットである
ことを特徴とする請求項５５〜６１のいずれか１項に記載のネットワークデバイス。
【請求項６５】
前記通信ユニットは、さらに、
前記ＳＲＳトリガー情報が複数のＢＷＰ上のＳＲＳリソースセットを示し、又は、複数のＢＷＰ上のＳＲＳリソースを含むＳＲＳリソースセットを示す場合、現在活性化されたＢＷＰ上のＳＲＳリソースにおいて、ＳＲＳを受信するように構成される
ことを特徴とする請求項５５〜６４のいずれか１項に記載のネットワークデバイス。
【請求項６６】
前記時間領域リソースユニットは、スロット、又は、サブフレーム、又は、直交周波数分割多重ＯＦＤＭシンボル、又は、マイクロスロット、又は、ＰＵＳＣＨ/物理下り共有チャネルＰＤＳＣＨ伝送時間である
ことを特徴とする請求項５５〜６５のいずれか１項に記載のネットワークデバイス。
【発明の詳細な説明】
【技術分野】
【０００１】
本願は、通信分野に関し、具体的に、サウンディングリファレンス信号（Ｓｏｕｎｄｉｎｇ Ｒｅｆｅｒｅｎｃｅ Ｓｉｇｎａｌ、ＳＲＳ）伝送方法、ネットワークデバイス及び端末デバイスに関する。
【背景技術】
【０００２】
ロングタームエボリューション( Ｌｏｎｇ  Ｔｅｒｍ  Ｅｖｏｌｕｔｉｏｎ、ＬＴＥ )システムでは、非周期サウンディングリファレンス信号( Ｓｏｕｎｄｉｎｇ Ｒｅｆｅｒｅｎｃｅ Ｓｉｇｎａｌ、ＳＲＳ )伝送が導入され、基地局が下り制御情報( Ｄｏｗｎｌｉｎｋ Ｃｏｎｔｒｏｌ Ｉｎｆｏｒｍａｔｉｏｎ、ＤＣＩ )によって、端末のＳＲＳ伝送をトリガーすることができる。端末がＳＲＳトリガーシグナリングを受信した後、ＳＲＳ伝送を行う。前記ＳＲＳは、チャネル状態情報( Ｃｈａｎｎｅｌ Ｓｔａｔｅ Ｉｎｆｏｒｍａｔｉｏｎ、ＣＳＩ )の取得、またはビーム管理のために使用され得る。
【０００３】
５ＧシステムにおけるＳＲＳ伝送をどのように実現するかは、解決すべき課題である。
【発明の概要】
【０００４】
本願の実施例は、５ＧシステムにおいてＳＲＳ伝送を実現することができるＳＲＳ伝送方法及びデバイスを提供する。
【０００５】
第１の態様は、ＳＲＳ伝送方法を提供し、
ネットワークデバイスにより送信された下り制御情報ＤＣＩを受信することと、
伝送遅延Ｋに応じて、前記ＤＣＩを受信した後のＫ番目の時間領域リソースユニット又はその後で、前記ＳＲＳトリガー情報が示すＳＲＳリソースセットのＳＲＳリソースにおいてＳＲＳを伝送することとを含み、
前記ＤＣＩがＳＲＳトリガー情報を含み、ここで、Ｋが０以上の整数である。
【０００６】
第１の態様と結合し、第１の態様の実現可能な形態において、前記方法は、さらに、
前記ＤＣＩから前記伝送遅延Ｋを取得することを含む。
【０００７】
第１の態様又は上記のいずれかの実現可能な形態と結合し、第１の態様の他の実現可能な形態において、前記ＤＣＩから前記伝送遅延Ｋを取得することは、
前記ＤＣＩ内のＳＲＳ伝送遅延指示情報から、前記伝送遅延Ｋを取得することを含む。
【０００８】
第１の態様又は上記のいずれかの実現可能な形態と結合し、第１の態様の他の実現可能な形態において、前記ＤＣＩから前記伝送遅延Ｋを取得することは、
前記ＤＣＩ内の物理上り共有チャネルＰＵＳＣＨ時間領域リソース指示情報から前記ＰＵＳＣＨの伝送遅延Ｍを決定することと、
前記伝送遅延Ｍに基づいて、前記伝送遅延Ｋを決定することとを含む。
【０００９】
第１の態様又は上記のいずれかの実現可能な形態と結合し、第１の態様の他の実現可能な形態において、前記方法は、さらに、
第１の上位層シグナリングに基づいて前記伝送遅延Ｋを決定することを含む。
【００１０】
第１の態様又は上記のいずれかの実現可能な形態と結合し、第１の態様の他の実現可能な形態において、前記第１の上位層シグナリングに基づいて前記伝送遅延Ｋを決定することは、
前記第１の上位層シグナリング内のＳＲＳ伝送遅延指示情報から、前記伝送遅延Ｋを決定することを含む。
【００１１】
第１の態様又は上記のいずれかの実現可能な形態と結合し、第１の態様の他の実現可能な形態において、前記第１の上位層シグナリングに基づいて前記伝送遅延Ｋを決定することは、
前記第１の上位層シグナリングから、前記伝送遅延Ｋを取得するための方式を決定することと、
決定された前記方式を利用して、前記伝送遅延Ｋを決定することとを含む。
【００１２】
第１の態様又は上記のいずれかの実現可能な形態と結合し、第１の態様の他の実現可能な形態において、前記伝送遅延Ｋを取得するための方式は、
前記ＤＣＩから前記伝送遅延Ｋを取得すること、又は、
第２の上位層シグナリングから前記伝送遅延Ｋを取得すること、又は、
約定された固定値を前記伝送遅延Ｋとすることである。
【００１３】
第１の態様又は上記のいずれかの実現可能な形態と結合し、第１の態様の他の実現可能な形態において、前記方法は、さらに、
前記ＤＣＩのＤＣＩフォーマットに基づいて前記伝送遅延Ｋを決定することを含む。
【００１４】
第１の態様又は上記のいずれかの実現可能な形態と結合し、第１の態様の他の実現可能な形態において、前記ＤＣＩのＤＣＩフォーマットに基づいて前記伝送遅延Ｋを決定することは、
前記ＤＣＩのＤＣＩフォーマットがＰＵＳＣＨ伝送をスケジューリングする場合、前記ＤＣＩ内のＰＵＳＣＨ時間領域リソース指示情報から前記ＰＵＳＣＨの伝送遅延Ｍを決定することと、
前記伝送遅延Ｍに基づいて、前記伝送遅延Ｋを決定することとを含む。
【００１５】
第１の態様又は上記のいずれかの実現可能な形態と結合し、第１の態様の他の実現可能な形態において、前記ＤＣＩのＤＣＩフォーマットに基づいて前記伝送遅延Ｋを決定することは、
前記ＤＣＩのＤＣＩフォーマットが物理下り共有チャネルＰＤＳＣＨ伝送をスケジューリングする場合、第３の上位層シグナリングから前記伝送遅延Ｋを決定し、又は、約定された固定値を前記伝送遅延Ｋとすることを含む。
【００１６】
第１の態様又は上記のいずれかの実現可能な形態と結合し、第１の態様の他の実現可能な形態において、前記ＤＣＩのＤＣＩフォーマットに基づいて前記伝送遅延Ｋを決定することは、
前記ＤＣＩのＤＣＩフォーマットがＳＲＳ電力制御に使用される場合、第３の上位層シグナリングから前記伝送遅延Ｋを決定し、又は、約定された固定値を前記伝送遅延Ｋとすることを含む。
【００１７】
第１の態様又は上記のいずれかの実現可能な形態と結合し、第１の態様の他の実現可能な形態において、前記方法は、さらに、
前記トリガーするＳＲＳ伝送に使用されるサブキャリア間隔、又は、前記ＤＣＩを受信する帯域幅部分ＢＷＰ（Ｂａｎｄｗｉｄｔｈ Ｐａｒｔ）に対応するサブキャリア間隔に基づいて、前記伝送遅延Ｋを決定することを含む。
【００１８】
第１の態様又は上記のいずれかの実現可能な形態と結合し、第１の態様の他の実現可能な形態において、前記ＳＲＳトリガー情報が示すＳＲＳリソースセットのＳＲＳリソースにおいてＳＲＳを伝送することは、
前記Ｋ番目の時間領域リソースユニット又はその後で、前記ＳＲＳトリガー情報が示す各ＳＲＳリソースセットに含まれる各ＳＲＳリソースのうちの最も近いリソースにおいて、ＳＲＳ信号を伝送することを含む。
【００１９】
第１の態様又は上記のいずれかの実現可能な形態と結合し、第１の態様の他の実現可能な形態において、前記ＳＲＳトリガー情報が示すＳＲＳリソースセットのＳＲＳリソースにおいてＳＲＳを伝送することは、
前記Ｋ番目の時間領域リソースユニット又はその後で、前記ＳＲＳトリガー情報が示す各ＳＲＳリソースセットの最も近い１つの伝送周期又は周波数ホッピング周期内にＳＲＳリソースにおいて、前記ＳＲＳを伝送することを含む。
【００２０】
第１の態様又は上記のいずれかの実現可能な形態と結合し、第１の態様の他の実現可能な形態において、前記ＳＲＳトリガー情報が示すＳＲＳリソースセットのＳＲＳリソースにおいてＳＲＳを伝送することは、
前記Ｋ番目の時間領域リソースユニットで、前記ＳＲＳトリガー情報が示す各ＳＲＳリソースセットに含まれる各ＳＲＳリソースにおいて、ＳＲＳ信号を伝送することを含み、前記スロットリソースユニットがスロットである。
【００２１】
第１の態様又は上記のいずれかの実現可能な形態と結合し、第１の態様の他の実現可能な形態において、前記ＳＲＳトリガー情報が示すＳＲＳリソースセットのＳＲＳリソースにおいてＳＲＳを伝送することは、
前記Ｋが０である場合、前記ＤＣＩの所在のスロットで、前記ＳＲＳトリガー情報が示すＳＲＳリソースセットのＳＲＳリソースにおいてＳＲＳを伝送することを含み、ここで、前記時間領域リソースユニットがスロットである。
【００２２】
第１の態様又は上記のいずれかの実現可能な形態と結合し、第１の態様の他の実現可能な形態において、前記方法は、さらに、
前記ＤＣＩにＳＲＳ電力制御のための送信電力制御ＴＰＣコマンドが含まれる場合、前記ＴＰＣコマンドを利用して前記ＳＲＳ伝送を電力制御することを含む。
【００２３】
第１の態様又は上記のいずれかの実現可能な形態と結合し、第１の態様の他の実現可能な形態において、前記ＳＲＳトリガー情報が示すＳＲＳリソースセットのＳＲＳリソースにおいてＳＲＳを伝送することは、
前記ＳＲＳトリガー情報が複数の帯域幅部分上のＳＲＳリソースセットを示し、又は、複数の帯域幅部分上のＳＲＳリソースを含むＳＲＳリソースセットを示す場合、現在活性化されたＢＷＰ内のＳＲＳリソースにおいて、ＳＲＳを伝送することを含む。
【００２４】
第１の態様又は上記のいずれかの実現可能な形態と結合し、第１の態様の他の実現可能な形態において、前記ＳＲＳトリガーシグナリングは、少なくとも１つのＳＲＳリソースセット上の非周期的ＳＲＳ伝送をトリガーするために用いられる。
【００２５】
第１の態様又は上記のいずれかの実現可能な形態と結合し、第１の態様の他の実現可能な形態において、前記時間領域リソースユニットは、スロット、又は、サブフレーム、又は、直交周波数分割多重ＯＦＤＭシンボル、又は、マイクロスロット、又は、ＰＵＳＣＨ/ＰＤＳＣＨ伝送時間である。
【００２６】
第２の態様は、サウンディングリファレンス信号ＳＲＳ伝送方法を提供し、
端末デバイスに下り制御情報ＤＣＩを送信することと、
伝送遅延Ｋに応じて、前記ＤＣＩを送信した後のＫ番目の時間領域リソースユニット又はその後で、前記ＳＲＳトリガー情報が示すＳＲＳリソースセット内のＳＲＳリソースにおいて、ＳＲＳを受信することとを含み、
前記ＤＣＩがＳＲＳトリガー情報を含み、ここで、Ｋが０以上の整数である。
【００２７】
第２の態様と結合し、第２の態様の実現可能な形態において、前記方法は、さらに、
前記ＤＣＩで前記伝送遅延Ｋを示すことを含む。
【００２８】
第２の態様又は上記のいずれかの実現可能な形態と結合し、第２の態様の他の実現可能な形態において、前記ＤＣＩで前記伝送遅延Ｋを示すことは、
前記ＤＣＩ内のＳＲＳ伝送遅延指示情報で前記伝送遅延Ｋを示すことを含む。
【００２９】
第２の態様又は上記のいずれかの実現可能な形態と結合し、第２の態様の他の実現可能な形態において、前記方法は、さらに、
第１の上位層シグナリングで前記伝送遅延Ｋを示すことを含む。
【００３０】
第２の態様又は上記のいずれかの実現可能な形態と結合し、第２の態様の他の実現可能な形態において、前記方法は、さらに、
第２の上位層シグナリングを利用して、前記端末デバイスが前記伝送遅延Ｋを取得する方式を指示することを含む。
【００３１】
第２の態様又は上記のいずれかの実現可能な形態と結合し、第２の態様の他の実現可能な形態において、前記端末デバイスが前記伝送遅延Ｋを取得する方式ことは、
前記ＤＣＩから前記伝送遅延Ｋを取得すること、又は、
第３の上位層シグナリングから前記伝送遅延Ｋを取得すること、又は、
約定された固定値を前記伝送遅延Ｋとすることである。
【００３２】
第２の態様又は上記のいずれかの実現可能な形態と結合し、第２の態様の他の実現可能な形態において、前記方法は、さらに、
前記ＤＣＩのＤＣＩフォーマットに基づいて、前記伝送遅延Ｋを決定することを含む。
【００３３】
第２の態様又は上記のいずれかの実現可能な形態と結合し、第２の態様の他の実現可能な形態において、前記ＤＣＩのＤＣＩフォーマットが物理上り共有チャネルＰＵＳＣＨ伝送をスケジューリングし、前記方法は、さらに、
前記ＰＵＳＣＨの伝送遅延Ｍに基づいて、前記伝送遅延Ｋを決定することを含む。
【００３４】
第２の態様又は上記のいずれかの実現可能な形態と結合し、第２の態様の他の実現可能な形態において、前記ＤＣＩのＤＣＩフォーマットがＰＤＳＣＨ伝送をスケジューリングし、前記方法は、さらに、
第３の上位層シグナリングから前記伝送遅延Ｋを示し、又は、
約定された固定値を前記伝送遅延Ｋとすることを含む。
【００３５】
第２の態様又は上記のいずれかの実現可能な形態と結合し、第２の態様の他の実現可能な形態において、前記ＤＣＩのＤＣＩフォーマットがＳＲＳ電力制御に使用され、前記方法は、さらに、
第３の上位層シグナリングから前記伝送遅延Ｋを示し、又は、
約定された固定値を前記伝送遅延Ｋとすることを含む。
【００３６】
第２の態様又は上記のいずれかの実現可能な形態と結合し、第２の態様の他の実現可能な形態において、前記方法は、さらに、
前記トリガーするＳＲＳに使用されるサブキャリア間隔、又は、前記ＤＣＩのＢＷＰに対応するサブキャリア間隔に基づいて、前記伝送遅延Ｋを決定することを含む。
【００３７】
第２の態様又は上記のいずれかの実現可能な形態と結合し、第２の態様の他の実現可能な形態において、前記ＳＲＳトリガー情報が示すＳＲＳリソースセット内のＳＲＳリソースにおいて、ＳＲＳを受信することは、
前記Ｋ番目の時間領域リソースユニット又はその後で、前記ＳＲＳトリガー情報が示す各ＳＲＳリソースセットに含まれる各ＳＲＳリソースのうちの最も近いソースにおいて、ＳＲＳ信号を受信することを含む。
【００３８】
第２の態様又は上記のいずれかの実現可能な形態と結合し、第２の態様の他の実現可能な形態において、前記ＳＲＳトリガー情報が示すＳＲＳリソースセット内のＳＲＳリソースにおいて、ＳＲＳを受信することは、
前記Ｋ番目の時間領域リソースユニット又はその後で、前記ＳＲＳトリガー情報が示す各ＳＲＳリソースセットの最も近い１つの伝送周期又は周波数ホッピング周期内のＳＲＳリソースにおいて、前記ＳＲＳを受信することを含む。
【００３９】
第２の態様又は上記のいずれかの実現可能な形態と結合し、第２の態様の他の実現可能な形態において、前記ＳＲＳトリガー情報が示すＳＲＳリソースセット内のＳＲＳリソースにおいて、ＳＲＳを受信することは、
前記Ｋ番目の時間領域リソースユニットで、前記ＳＲＳトリガー情報が示す各ＳＲＳリソースセットに含まれる各ＳＲＳリソースにおいて、ＳＲＳ信号を受信することを含み、前記スロットリソースユニットがスロットである。
【００４０】
第２の態様又は上記のいずれかの実現可能な形態と結合し、第２の態様の他の実現可能な形態において、前記ＳＲＳトリガー情報が示すＳＲＳリソースセット内のＳＲＳリソースにおいて、ＳＲＳを受信することは、
前記ＳＲＳトリガー情報が複数の帯域幅部分上のＳＲＳリソースセットを示し、又は、複数の帯域幅部分上のＳＲＳリソースを含むＳＲＳリソースセットを示す場合、現在活性化されたＢＷＰ内のＳＲＳリソースにおいて、ＳＲＳを受信することを含む。
【００４１】
第２の態様又は上記のいずれかの実現可能な形態と結合し、第２の態様の他の実現可能な形態において、前記時間領域リソースユニットは、スロット、又は、サブフレーム、又は、直交周波数分割多重ＯＦＤＭシンボル、又は、マイクロスロット、又は、ＰＵＳＣＨ/物理下り共有チャネルＰＤＳＣＨ伝送時間である。
【００４２】
第３の態様は、上記第１の態様またはその可能な実施態様のいずれかにおける方法を実施するためのユニットを含み得る端末デバイスを提供する。
【００４３】
第４の態様は、上記の第２の態様またはその可能な実施態様のいずれかにおける方法を実施するためのユニットを含み得るネットワークデバイスを提供する。
【００４４】
第５の態様は、命令を記憶したメモリと、メモリに記憶された命令を呼び出して第１の態様またはその任意の実施態様の方法を実行するためのプロセッサとを含む端末デバイスを提供する。
【００４５】
第６の態様は、命令を記憶したメモリと、メモリに記憶された命令を呼び出して第２の態様またはその任意の実施態様の方法を実行するためのプロセッサとを含むネットワークデバイスを提供する。
【００４６】
第７の態様は、端末デバイスによって実行されるプログラムコードを記憶するコンピュータ可読媒体を提供し、プログラムコードは、第１の態様またはその様々な実装形態における方法を実行するための命令を含むか、または第２の態様またはその様々な実装形態における方法を実行するための命令を含む。
【００４７】
第８の態様は、入力インターフェース、出力インターフェース、プロセッサ、及びメモリを備えるシステムチップを提供し、プロセッサは、メモリ内のコードを実行し、コードが実行されると、プロセッサは、上記の第１の態様及び様々な実装形態における方法を実装し、又は上記の第２の態様及び様々な実装形態における方法を実装することができる。
【００４８】
以上の構成から明らかなように、本願の実施例は、非周期ＳＲＳの伝送遅延を柔軟に調整することができ、上り下りデータ伝送のチャネル状態情報( Ｃｈａｎｎｅｌ Ｓｔａｔｅ Ｉｎｆｏｒｍａｔｉｏｎ、ＣＳＩ )遅延を低減して伝送スペクトル効率を向上させるとともに、上りリソースの利用率を向上させることができる。
【図面の簡単な説明】
【００４９】
【図１】本願の実施例における無線通信システムの模式図である。
【図２】本願の実施例におけるＳＲＳ伝送方法のフローチャートである。
【図３】本願の実施例における端末デバイスのブロック図である。
【図４】本願の実施例におけるネットワークデバイスのブロック図である。
【図５】本願の実施例におけるシステムチップのブロック図である。
【図６】本願の実施例における通信デバイスのブロック図である。
【発明を実施するための形態】
【００５０】
以下、本願の実施例における技術的手段について、本願の実施例における図面を参照して説明する。
【００５１】
本願の実施例の技術は、様々な通信システムに適用可能であり、例えば、Ｇｌｏｂａｌ Ｓｙｓｔｅｍ ｏｆ Ｍｏｂｉｌｅ ｃｏｍｍｕｎｉｃａｔｉｏｎ ( ＧＳＭ )方式、Ｃｏｄｅ Ｄｉｖｉｓｉｏｎ Ｍｕｌｔｉｐｌｅ Ａｃｃｅｓｓ ( ＣＤＭＡ )方式、Ｗｉｄｅｂａｎｄ Ｃｏｄｅ Ｄｉｖｉｓｉｏｎ Ｍｕｌｔｉｐｌｅ Ａｃｃｅｓｓ ( ＷＣＤＭＡ )方式、Ｇｅｎｅｒａｌ Ｐａｃｋｅｔ Ｒａｄｉｏ Ｓｅｒｖｉｃｅ ( ＧＰＲＳ )方式、Ｌｏｎｇ Ｔｅｒｍ Ｅｖｏｌｕｔｉｏｎ （ ＬＴＥ )方式、Ｆｒｅｑｕｅｎｃｙ Ｄｉｖｉｓｉｏｎ Ｄｕｐｌｅｘ （ ＦＤＤ )方式、Ｔｉｍｅ Ｄｉｖｉｓｉｏｎ Ｄｕｐｌｅｘ （ ＴＤＤ )方式、Ｕｎｉｖｅｒｓａｌ Ｍｏｂｉｌｅ Ｔｅｌｅｃｏｍｍｕｎｉｃａｔｉｏｎ Ｓｙｓｔｅｍ （ ＵＭＴＳ )方式、Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ （ ＷｉＭＡＸ )方式、将来の５Ｇ方式等の移動通信システム、あるいは、これらを組み合わせた通信システム等に適用することができる。
【００５２】
図１は、本願の実施例が適用される無線通信システム１００を示す。無線通信システム１００は、ネットワークデバイス１１０を含み得る。ネットワークデバイス１００は、端末デバイスと通信する装置であってもよい。ネットワークデバイス１００は、特定の地理的エリアに通信カバレッジを提供し得、カバレッジエリア内に配置されたＵＥなどの端末デバイスと通信し得る。任意選択で、ネットワークデバイス１００は、ＧＳＭシステムまたはＣＤＭＡシステムにおける基地局( Ｂａｓｅ Ｔｒａｎｓｃｅｉｖｅｒ Ｓｔａｔｉｏｎ、ＢＴＳ )、ＷＣＤＭＡシステムにおける基地局( ＮｏｄｅＢ、ＮＢ )、ＬＴＥシステムにおける発展型基地局( Ｅｖｏｌｕｔｉｏｎａｌ Ｎｏｄｅ Ｂ、ｅＮＢ、又はｅＮｏｄｅＢ )、またはクラウド無線アクセスネットワーク( Ｃｌｏｕｄ Ｒａｄｉｏ Ａｃｃｅｓｓ Ｎｅｔｗｏｒｋ、ＣＲＡＮ )における無線コントローラであってもよく、または中継局、アクセスポイント、車載装置、ウェアラブル装置、将来の５Ｇネットワークにおけるネットワーク側装置、または将来の公衆地上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイスなどであってもよい。
【００５３】
無線通信システム１００は、ネットワークデバイス１１０のカバレージ内に配置された少なくとも１つの端末デバイス１２０をさらに含む。端末デバイス１２０は、移動型であってもよいし、固定型であってもよい。任意選択で、端末デバイス１２０は、アクセス端末、ユーザ機器( Ｕｓｅｒ Ｅｑｕｉｐｍｅｎｔ、ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００５４】
任意選択で、端末デバイス１２０間の端末直接接続( Ｄｅｖｉｃｅ ｔｏ Ｄｅｖｉｃｅ、Ｄ2Ｄ )通信が行われてもよい。
【００５５】
任意選択で、５Ｇシステム又はネットワークは、新たなラジオ( Ｎｅｗ Ｒａｄｉｏ、ＮＲ )システム又はネットワークと呼ばれることもある。
【００５６】
図１は、１つのネットワークデバイス及び２つの端末デバイスを例示的に示し、任意選択で、無線通信システム１００は、複数のネットワークデバイスを含み、各ネットワークデバイスのカバレージ内に他の数の端末デバイスを含んでもよく、本願の実施例は、これに限定されない。
【００５７】
無線通信システム１００において、端末デバイスは、上りデータ伝送用の１以上のアンテナアレイブロックを有し、各アンテナアレイブロックは独立した無線周波数チャネルを有する。１つの復調参照信号( Ｄｅｍｏｄｕｌａｔｉｏｎ Ｒｅｆｅｒｅｎｃｅ Ｓｉｇｎａｌ、略称「ＤＭＲＳ」)ポートグループが１つのアンテナアレイブロックに対応し、端末デバイスは、１つのアンテナアレイブロックの伝送パラメータを決定した後、該アンテナアレイブロック上で、対応するＤＭＲＳポートグループのデータを伝送することができる。
【００５８】
任意選択で、無線通信システム１００は、ネットワークコントローラ、モビリティ管理エンティティなどの他のネットワークエンティティをさらに含むことができ、本願の実施例はこれに限定されない。
【００５９】
なお、本明細書において、「システム」および「ネットワーク」という用語は、しばしば、本明細書において交換可能に使用される。ここで、「及び/又は」とは、単に関連のある対象を記述するための関連関係の１つであり、Ａ及び/又はＢのように３つの関係が存在し得ることを意味し、Ａのみ、ＡとＢが同時に存在すること、Ｂのみが存在することの３つの場合が存在し得ることを意味する。なお、本文中の「/」の文字は、前後の関連オブジェクトが一種の「または」の関係であることを一般的に示す。
【００６０】
図２は、本願の実施例におけるＳＲＳ伝送方法２００の概略的なフローチャートである。方法２００は、以下の少なくとも一部を含む。
【００６１】
２１０において、ネットワークデバイスが端末デバイスに下り制御情報（Ｄｏｗｎｌｉｎｋ Ｃｏｎｔｒｏｌ Ｉｎｆｏｒｍａｔｉｏｎ、ＤＣＩ）を送信し、ＤＣＩがＳＲＳトリガー情報を含む。
【００６２】
任意選択で、前記ＳＲＳトリガー情報が示すＳＲＳリソースセットは、１つ以上であってもよい。
【００６３】
任意選択で、該ＳＲＳトリガー情報は、少なくとも１つのＳＲＳリソースセット上の非周期的ＳＲＳ伝送をトリガーするために用いられる。
【００６４】
例えば、前記ＳＲＳトリガー情報は、２つのＤＣＩビット、合計４つの指示値を含み、３つの指示値のうちの異なる指示値は、異なるＳＲＳリソースのセットをトリガするために使用され、１つの指示値は、非周期的ＳＲＳ伝送をトリガしないように指示するために使用される。
【００６５】
任意選択で、本願の実施例において、１つのＳＲＳリソースセットは、少なくとも１つのＳＲＳリソースを含むことができ、各ＳＲＳリソースは、他のＳＲＳリソースと比較して独立した構成を有し、例えば、ＳＲＳの送信周期、トリガー方式、または１回のＳＲＳ送信に占有されるリソースの数などである。
【００６６】
任意選択で、非周期的ＳＲＳとは、トリガー情報(またはシグナリング)によってトリガされるＳＲＳを意味し、１回だけ伝送されてもよいし、複数回に伝送されてもよい。
【００６７】
任意選択で、１つのスロット内で１つのＳＲＳトリガ情報によってトリガされるＳＲＳ伝送が行われてもよいし、複数スロット内で行われてもよく、前記ＳＲＳリソースの構成、または伝送遅延の構成に従う。
【００６８】
なお、本発明の実施例で言及されたＳＲＳトリガ情報は、ＤＣＩ以外の他のシグナリング、例えば、メディアアクセス制御( Ｍｅｄｉａ Ａｃｃｅｓｓ Ｃｏｎｔｒｏｌ、ＭＡＣ )シグナリングに搬送されてもよい。
【００６９】
２２０において、端末デバイスがネットワークデバイスにより送信された該ＤＣＩを受信する。
【００７０】
２３０において、伝送遅延Ｋに応じて、ＤＣＩを受信した後のＫ番目の時間領域リソースユニット又はその後で、端末デバイスがＳＲＳトリガー情報が示すＳＲＳリソースセットのＳＲＳリソースにおいて、ＳＲＳを伝送し、ここで、Ｋが０以上の整数である。
【００７１】
任意選択で、本願の実施例で言及される時間領域リソースユニットは、スロット、サブフレーム、直交周波数分割多重( Ｏｒｔｈｏｇｏｎａｌ Ｆｒｅｑｕｅｎｃｙ Ｄｉｖｉｓｉｏｎ Ｍｕｌｔｉｐｌｅｘｉｎｇ、ＯＦＤＭ )シンボル、ミニスロット、又は物理上り共有チャネル( Ｐｈｙｓｉｃａｌ Ｕｐｌｉｎｋ Ｓｈａｒｅｄ Ｃｈａｎｎｅｌ、ＰＵＳＣＨ ) /物理下り共有チャネル( Ｐｈｙｓｉｃａｌ Ｄｏｗｎｌｉｎｋ Ｓｈａｒｅｄ Ｃｈａｎｎｅｌ、ＰＤＳＣＨ )伝送時間である。
【００７２】
ここで、前記ＰＵＳＣＨ / ＰＤＳＣＨ伝送時間( ｔｒａｎｓｍｉｓｓｉｏｎ ｄｕｒａｔｉｏｎ )は、１回のＰＵＳＣＨ伝送またはＰＤＳＣＨ伝送に使用される伝送時間の長さである。
【００７３】
本願をより明確に理解するために、伝送遅延Ｋを取得するいくつかの方式を以下に説明する。
【００７４】
ある実現形態において、該ＳＲＳトリガー情報が搬送されるＤＣＩから、端末デバイスが伝送遅延Ｋを取得する。つまり、ネットワークデバイスは、ＤＣＩを利用して、伝送遅延Ｋを示す。
【００７５】
任意選択で、端末デバイスは、該ＳＲＳトリガー情報が搬送されるＤＣＩのＳＲＳ伝送遅延指示情報から、伝送遅延Ｋを取得することができる。つまり、ネットワークデバイスは、ＤＣＩ内のＳＲＳ伝送遅延指示情報を利用して、伝送遅延Ｋを示す。
【００７６】
具体的には、ＤＣＩには、ＳＲＳ伝送遅延指示情報を搬送するために使用され得るフィールドがあり、端末デバイスは、このフィールドからこの伝送遅延Ｋを取得することができる。
【００７７】
ここで、前記ＳＲＳ伝送遅延指示情報は、Ｎ個の候補値のうち現在使用されている伝送遅延 (すなわち、Ｋの値)を示し、前記Ｎ個の候補値は、端末デバイス及びネットワークデバイスに予め設定され、又は、上位層シグナリングを介してネットワークデバイスから端末デバイスに知らせる。
【００７８】
または、端末デバイスは、このＳＲＳトリガー情報が搬送されるＤＣＩにおけるＰＵＳＣＨ時間領域リソース指示情報からＰＵＳＣＨの伝送遅延Ｍを決定することができ、伝送遅延Ｍに基づいて伝送遅延Ｋが決定される。ここで、ＰＵＳＣＨ時間領域リソース指示情報は、前記ＤＣＩとスケジューリングされたＰＵＳＣＨ伝送との間の伝送遅延を指示するために使用される。したがって、ネットワークデバイスは、伝送遅延Ｍに基づいて、伝送遅延Ｋを決定することもでき、または、伝送遅延Ｋを使用して、伝送遅延Ｍを決定することもできる。 
具体的には、該ＤＣＩには、ＰＵＳＣＨ時間領域リソース指示情報を搬送するのに使用され得るフィールドを有してよく、該情報に基づいて、端末デバイスは、ＰＵＳＣＨの伝送遅延Ｍ (すなわち、ＰＵＳＣＨがスケジューリングされたＤＣＩを受信した後のＭ番目の時間領域リソースユニットにおいて、ＰＵＳＣＨを伝送する)を特定し、さらに、伝送遅延Ｋを特定する。
【００７９】
たとえば、前記ＰＵＳＣＨ時間領域リソース指示情報によって示されるＰＵＳＣＨ伝送遅延がＭであると仮定すると、前記伝送遅延Ｋの値はＫ = Ｍ-Ｋであり得、ここで、Ｋは固定整数値である。例えば、ｋの典型的な値は０または１であり、すなわち、トリガーされたＳＲＳは、スケジューリングされたＰＵＳＣＨの同じ時間領域リソースユニットにおいて送信されるか、または、スケジューリングされたＰＵＳＣＨの１つ前の時間領域リソースユニットにおいて伝送され得る。
【００８０】
ある実現形態において、端末デバイスが第１の上位層シグナリングに基づいて、伝送遅延Ｋを決定する。
【００８１】
任意選択で、端末デバイスが第１の上位層シグナリング内のＳＲＳ伝送遅延指示情報から、伝送遅延Ｋを決定する。即ち、前記ＳＲＳ伝送遅延指示情報は、Ｋの値を直接に指示する。つまり、ネットワークデバイスは、第１の上位層シグナリングを利用して、伝送遅延Ｋを指示することができる。
【００８２】
任意選択で、端末デバイスは、第１の上位層シグナリングとＳＲＳの伝送が存在するＢＷＰとに基づいて、伝送遅延Ｋを決定する。端末デバイスが複数の上りＢＷＰを構成する場合、ネットワーク側では、各上りＢＷＰが対応する伝送遅延Ｋを指示する必要がある。端末が１つの上りＢＷＰでＳＲＳを伝送する場合には、そのＢＷＰに対応する伝送遅延Ｋを用いる。
【００８３】
任意選択で、端末デバイスは、第１の上位層シグナリングから、伝送遅延Ｋを取得する方式を決定し、決定された方式により、伝送遅延Ｋを決定する。すなわち、ネットワークデバイスは、第１の上位層シグナリングを用いて端末デバイスに伝送遅延Ｋの取得方式を示すことができる。
【００８４】
任意選択で、端末デバイスは、前記第１の上位層シグナリングと、ＳＲＳの伝送が存在するＢＷＰとに基づいて、伝送遅延Ｋを取得する方式を決定する。端末デバイスが複数の上りＢＷＰを構成する場合、第１の上位層シグナリングにより、各上りＢＷＰに、対応する伝送遅延取得方式を指示する必要がある。端末が１つの上りＢＷＰでＳＲＳを伝送する場合、そのＢＷＰに対応する伝送遅延取得方式を用いて伝送遅延を得る。
【００８５】
ここで、伝送遅延Ｋの取得方式としては、ＤＣＩから伝送遅延Ｋを取得し、又は、第２の上位層シグナリングから伝送遅延Ｋを取得し、又は、予め定められた固定値を伝送遅延Ｋとする方式が考えられる。
【００８６】
具体的には、前記第２の上位層シグナリングは、以下の３つの方法のうち少なくとも２つから伝送遅延Ｋの取得方法を決定するために使用される。
【００８７】
１）前記ＤＣＩから前記伝送遅延Ｋを取得し、ここで、具体的な取得方法は、上記の説明を参照し、
２）第３の上位層シグナリングから前記伝送遅延Ｋをし、具体的に、端末デバイスは、第３の上位層シグナリング内のＳＲＳ伝送遅延指示情報から、前記伝送遅延Ｋを決定し、
３）約定された固定値を前記伝送遅延Ｋとする。例えば、前記約定された固定値が、Ｋ=０又はＫ=４である。例えば、前記第２の上位層シグナリングは、１ビットの指示情報を含めて、上記の方法１）又は方法３）を利用して前記伝送遅延Ｋを決定するように指示する。
【００８８】
ある実現形態において、端末デバイスは、前記ＳＲＳトリガー情報が搬送されるＤＣＩのＤＣＩフォーマットに基づいて伝送遅延Ｋを決定する。
【００８９】
任意選択で、前記ＤＣＩが異なるＤＣＩフォーマットを採用するとき、前記伝送遅延Ｋを決定する対応する方法も異なる。この場合、ネットワークデバイスは、ＳＲＳ指示情報を搬送するＤＣＩのフォーマットによって伝送遅延Ｋを示す方式を決定することができる。
【００９０】
任意選択で、前記ＤＣＩのＤＣＩフォーマットがＰＵＳＣＨ伝送をスケジューリングするために使用される場合(たとえば、ＤＣＩフォーマット（ｆｏｒｍａｔ）０ _ ０またはＤＣＩ ｆｏｒｍａｔ0 ＿ 1 )、前記ＤＣＩ中のＰＵＳＣＨ時間領域リソース指示情報からＰＵＳＣＨの伝送遅延Ｍを決定し、伝送遅延Ｍに基づいて伝送遅延Ｋを決定する。
【００９１】
具体的には、前記ＤＣＩにおけるＰＵＳＣＨ時間領域リソース指示情報は、前記ＤＣＩとスケジューリングされたＰＵＳＣＨ伝送との間の伝送遅延を指示するために使用される。
【００９２】
前記ＰＵＳＣＨ時間領域リソース指示情報によって示されるＰＵＳＣＨ伝送遅延がＭであると仮定すると、伝送遅延Ｋの値は、Ｋ = Ｍ-Ｋ ( Ｋは、固定の整数値)であり得る。例えば、kの典型的な値は０または１であり、すなわち、トリガーされたＳＲＳは、スケジューリングされたＰＵＳＣＨの同じ時間領域リソースユニットにおいて送信されるか、または、スケジューリングされたＰＵＳＣＨの１つ前の時間領域リソースユニットにおいて伝送される。
【００９３】
任意選択で、前記ＤＣＩのＤＣＩフォーマットがＰＤＳＣＨ伝送(たとえば、ＤＣＩ ｆｏｒｍａｔ1＿0またはＤＣＩ ｆｏｒｍａｔ1＿1 )をスケジューリングするために使用される場合、伝送遅延Ｋは、第３の上位層シグナリングから決定されるか、または、伝送遅延Ｋとして約束された固定値を採用する。前記約束された固定値は、Ｋ = ０またはＫ = ４であり得る。
【００９４】
任意選択で、前記ＤＣＩのＤＣＩフォーマットがＳＲＳ電力制御のために使用される場合(たとえば、ＤＣＩ ｆｏｒｍａｔ2＿2 )、伝送遅延Ｋは、第３の上位層シグナリングから決定されるか、または、伝送遅延Ｋとして約束された固定値を採用する。
【００９５】
具体的には、前記ＤＣＩフォーマットには、ＳＲＳ電力制御のためのＴＰＣ(Ｔｒａｎｓｍｉｔ Ｐｏｗｅｒ ｃｏｎｔｒｏｌ)コマンドが含まれ、非周期的ＳＲＳのトリガシグナリングも含まれる。
【００９６】
ある実現形態において、端末デバイスは、トリガーされたＳＲＳを伝送するために使用されるサブキャリア間隔、またはＤＣＩを受信するＢＷＰに対応するサブキャリア間隔に従って、伝送遅延Ｋを決定する。したがって、ネットワークデバイスは、トリガーされたＳＲＳを伝送するために使用されるサブキャリア間隔、またはＤＣＩのＢＷＰに対応するサブキャリア間隔に従って、伝送遅延Ｋを決定する。
【００９７】
具体的には、前記サブキャリア間隔は、前記非周期的ＳＲＳを伝送するために使用されるサブキャリア間隔、すなわち、前記非周期的ＳＲＳが位置するＢＷＰに対応するサブキャリア間隔であり、ネットワーク側が前記ＤＣＩを伝送するためのＢＷＰが構成されたサブキャリア間隔であってもよい。
【００９８】
例えば、前記目標サブキャリア間隔をS、参照サブキャリア間隔をＮとすると、伝送遅延はＫ = S / Ｎ * Ｋで表すことができ、ここで、Ｋは参照サブキャリア間隔の仮定下における伝送遅延であり、上記方法に従って決定することができる。一般に、この参照サブキャリア間隔は１５ ｋＨｚである。
【００９９】
例えば、端末デバイスとネットワーク側とで、異なる目標サブキャリア間隔に対して異なる伝送遅延を約束し (各サブキャリア間隔に固定の伝送遅延を用いる)、又は、ネットワーク側で、上位層シグナリングにより異なるサブキャリア間隔に対して異なる伝送遅延を構成することができる。
【０１００】
本願をより明確に理解するために、伝送遅延Ｋを取得した後にＳＲＳの送信を行う方法について、以下にいくつか説明する。
【０１０１】
ある実現形態において、Ｋ番目の時間領域リソースユニット又はその後で、ＳＲＳトリガー情報が示す各ＳＲＳリソースセットに含まれる各ＳＲＳリソース内の最も近いリソース上（時間の最も近い、即ち、１つのＳＲＳリソースが占用する物理リソースにおいて、Ｋ番目の時間領域リソースユニット又はその後の時間の最も早い物理リソース）において、ＳＲＳ信号を伝送する。
【０１０２】
具体的には、トリガーシグナリングが第１のＳＲＳリソースセットを示し、このリソースセットがＮ個の周期的に構成されたＳＲＳリソースを含むと仮定すると、端末デバイスは、Ｋ番目の時間領域リソースユニットまたはその後で、このＮ個のＳＲＳリソースそれぞれに基づいて、最も近いリソース上でＳＲＳ信号を伝送する必要がある。すなわち、端末は、Ｎ個のＳＲＳリソースが占用するリソース全てでＳＲＳ信号を伝送する必要があるが、各ＳＲＳリソースの直近の１つの伝送周期または直近の１周波数ホッピング周期で伝送すればよい。
【０１０３】
端末デバイスがＳＲＳリソースの直近の１つの伝送周期で伝送する場合、端末デバイスは、１つのスロット内の１つのＳＲＳリソースに含まれる複数のＯＦＤＭシンボルでＳＲＳを伝送する。このとき、ここで、直近のリソースとは、前記ＳＲＳリソースに含まれる直近のＳ個のシンボルであり、Ｓは、前記ＳＲＳリソースが１つのスロット内で占有するシンボル数である。
【０１０４】
端末デバイスが各ＳＲＳリソースの直近の１つの周波数ホッピング周期内で伝送する場合、端末デバイスは、ＳＲＳリソースを含む直近の１つ以上のスロット内で、周波数ホッピング帯域幅全体をカバーするまでＳＲＳを伝送することができる。この場合、ここで、直近のリソースとは、前記ＳＲＳリソースに含まれる直近のＮ個のシンボルであり、Ｎは、１回の完全な周波数領域ホッピングを行うのに必要なシンボル数である。
【０１０５】
任意選択で、前記トリガーシグナリングが複数のＳＲＳリソースセットを示す場合、端末デバイスが、各ＳＲＳリソースセットに対して上記のＳＲＳ伝送を行うことができる。
【０１０６】
ある実現形態において、Ｋ番目の時間領域リソースユニット又はその後で、端末デバイスは、ＳＲＳトリガー情報が示す各ＳＲＳリソースセットの最も近い１つの伝送周期又は周波数ホッピング周期内のＳＲＳリソースにおいて、ＳＲＳを伝送する。
【０１０７】
ある実現形態において、Ｋが０である場合、前記ＤＣＩの所在のスロットにおいて、ＳＲＳトリガー情報が示すＳＲＳリソースセットのＳＲＳリソースにおいてＳＲＳを伝送し、ここで、時間領域リソースユニットがスロットである。
【０１０８】
ある実現形態において、前記Ｋ番目の時間領域リソースユニットにおいて、前記ＳＲＳトリガー情報が示す各ＳＲＳリソースセットに含まれる各ＳＲＳリソースにおいて、端末デバイスがＳＲＳ信号を伝送し、ここで、該時間領域リソースユニットがスロットである。
【０１０９】
ある実現形態において、ＳＲＳトリガー情報が複数のＢＷＰ上のＳＲＳリソースセットを示し、又は、複数のＢＷＰ上のＳＲＳリソースを含むＳＲＳリソースセットを示す場合、現在活性化されたＢＷＰ内のＳＲＳリソースにおいて、ＳＲＳを伝送する。
【０１１０】
例えば、前記ＳＲＳトリガー情報は、２つのＳＲＳリソースセットを示し、それぞれが異なるＢＷＰにあり、現在、いずれか１つのＢＷＰのみが活性化され、端末は、活性化されたＢＷＰにおいてのみ非周期的ＳＲＳ伝送を行う。
【０１１１】
例えば、前記ＳＲＳトリガー情報が、異なるＢＷＰ上の２つのＳＲＳリソースを含むＳＲＳリソースセットを示す場合、端末は、活性化されたＢＷＰ上の対応するＳＲＳリソースにおいてＳＲＳ伝送を行う。
【０１１２】
他の実現形態において、ＳＲＳトリガー情報が複数のＢＷＰ上のＳＲＳリソースセットを示し、又は、複数のＢＷＰ上のＳＲＳリソースを含むＳＲＳリソースセットを示す場合、端末は、複数のＢＷＰ上の全てのＳＲＳリソースセット又は全てのＳＲＳリソースにおいて、ＳＲＳを伝送する必要がある。
【０１１３】
任意選択で、本願の実施例において、ＳＲＳトリガー情報を搬送するＤＣＩにＳＲＳ電力制御のための送信電力制御ＴＰＣコマンドがさらに含まれる場合、ＴＰＣコマンドを用いてＳＲＳ伝送の電力制御が行われる。
【０１１４】
２４０において、ネットワークデバイスは、伝送遅延Ｋに応じて、ＤＣＩを送信した後のＫ番目の時間領域リソースユニット又はその後で、ＳＲＳトリガー情報が示すＳＲＳリソースセットのＳＲＳリソースにおいて、ＳＲＳを受信し、ここで、Ｋが０以上の整数である。
【０１１５】
ある実現形態において、Ｋ番目の時間領域リソースユニット又はその後で、ＳＲＳトリガー情報が示す各ＳＲＳリソースセットに含まれる各ＳＲＳリソースの最も近いリソースにおいて、ＳＲＳ信号を受信する。
【０１１６】
ある実現形態において、Ｋ番目の時間領域リソースユニット又はその後で、ＳＲＳトリガー情報が示す各ＳＲＳリソースセットの最も近い１つの伝送周期又は周波数ホッピング周期内のＳＲＳリソースにおいて、ネットワークデバイスがＳＲＳを受信する。
【０１１７】
ある実現形態において、前記Ｋ番目の時間領域リソースユニットで、前記ＳＲＳトリガー情報が示す各ＳＲＳリソースセットに含まれる各ＳＲＳリソースにおいて、ＳＲＳ信号を受信することを含み、前記スロットリソースユニットがスロットである。
【０１１８】
ある実現形態において、ＳＲＳトリガー情報が複数のＢＷＰ上のＳＲＳリソースセットを示し、又は、複数のＢＷＰ上のＳＲＳリソースを含むＳＲＳリソースセットを示す場合、現在活性化されたＢＷＰのＳＲＳリソースにおいて、ＳＲＳを受信する。
【０１１９】
以上の構成から明らかなように、本願の実施例は、非周期ＳＲＳの伝送遅延を柔軟に調整することができ、上り下りデータ伝送のチャネル状態情報( Ｃｈａｎｎｅｌ Ｓｔａｔｅ Ｉｎｆｏｒｍａｔｉｏｎ、ＣＳＩ )遅延を低減して伝送スペクトル効率を向上させるとともに、上りリソースの利用率を向上させることができる。
【０１２０】
図３は本願の実施例における端末デバイス３００のブロック図である。該端末デバイス３００は、通信ユニット３１０及び処理ユニット３２０を含み、ここで、前記通信ユニット３１０は、ネットワークデバイスにより送信された下り制御情報ＤＣＩを受信するように構成され、前記ＤＣＩがＳＲＳトリガー情報を含み、前記処理ユニット３２０は、伝送遅延Ｋを決定するように構成され、ここで、Ｋが０以上の整数であり、前記通信ユニット３１０は、さらに、伝送遅延Ｋに応じて、前記ＤＣＩを受信した後のＫ番目の時間領域リソースユニット又はその後で、前記ＳＲＳトリガー情報が示すＳＲＳリソースセットのＳＲＳリソースにおいてＳＲＳを伝送するように構成され、ここで、Ｋが０以上の整数である。
【０１２１】
なお、本願の実施例における端末デバイス３００は、本願の実施例による端末デバイスに対応することができ、端末デバイス３００の各ユニットの上述した及び他の動作及び/又は機能は、図２に示す方法２００における端末デバイスの対応するフローをそれぞれ実現するために、簡潔のためにここでは説明を省略する。
【０１２２】
図４は本願の実施例におけるネットワークデバイス４００のブロック図である。該ネットワークデバイス４００は、通信ユニット４１０及び処理ユニット４２０を含み、ここで、
前記通信ユニット４１０は、端末デバイスに下り制御情報ＤＣＩを送信するように構成され、前記ＤＣＩがＳＲＳトリガー情報を含み、前記処理ユニット４２０は、伝送遅延Ｋを決定するように構成され、前記通信ユニット４１０は、さらに、伝送遅延Ｋに応じて、前記ＤＣＩを送信した後のＫ番目の時間領域リソースユニット又はその後で、前記ＳＲＳトリガー情報が示すＳＲＳリソースセット内のＳＲＳリソースにおいて、ＳＲＳを受信するように構成され、ここで、Ｋが０以上の整数である。
【０１２３】
なお、本願の実施例に係るネットワークデバイス４００は、本願の方法の実施例におけるネットワークデバイスに対応することができ、ネットワークデバイス４００のユニットの上述の及び他の動作及び/又は機能は、図２に示す方法２００におけるネットワークデバイスの対応するフローをそれぞれ実現するために、簡潔のためにここで説明を省略する。
【０１２４】
図５は、本願の実施例に係るシステムチップ６００の概略構成図である。図５のシステムチップ６００は、入力インターフェース６０１、出力インターフェース６０２、メモリ６０４内のコードを実行するプロセッサ６０３、及びメモリ６０４を含み、それらの間を内部通信接続線によって接続することができる。
【０１２５】
任意選択で、コードが実行されると、プロセッサ６０３は、方法の実施例において端末デバイスによって実行される方法を実施する。簡潔にするために、ここで説明を省略する。
【０１２６】
任意選択で、コードが実行されると、プロセッサ６０３は、方法の実施例においてネットワークデバイスによって実行される方法を実施する。簡潔にするために、ここで説明を省略する。
【０１２７】
図６は、本願の実施例による通信デバイス７００の概略ブロック図である。図６に示すように、通信デバイス７００は、プロセッサ７１０とメモリ７２０とを含む。ここで、メモリ７２０は、プログラムコードを記憶することができ、プロセッサ７１０は、メモリ７２０に記憶されたプログラムコードを実行することができる。
【０１２８】
任意選択で、図６に示すように、通信デバイス７００は、プロセッサ７１０が外部と通信するように制御することができる送受信機７３０を含んでもよい。
【０１２９】
任意選択で、プロセッサ７１０は、メモリ７２０に記憶されたプログラムコードを呼び出して、方法の実施例における端末デバイスの対応する動作を実行してもよく、簡潔のためにここでは詳しい説明を省略する。
【０１３０】
任意選択で、プロセッサ７１０は、メモリ７２０に記憶されたプログラムコードを呼び出して、方法の実施例におけるネットワークデバイスの対応する動作を実行してもよく、簡潔のためにここでは詳しい説明を省略する。
【０１３１】
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本出願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１３２】
本発明の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、ＲＡＭは、スタティックランダムアクセスメモリ( Ｓｔａｔｉｃ ＲＡＭ、ＳＲＡＭ )、ダイナミックランダムアクセスメモリ（ Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ（ Ｓｙｎｃｈｌｉｎｋ ＤＲＡＭ、ＳＬＤＲＡＭ ）、及びダイレクトメモリバスランダムアクセスメモリ（ Ｄｉｒｅｃｔ Ｒａｍｂｕｓ ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０１３３】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１３４】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１３５】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１３６】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１３７】
また、本発明の各実施例における各機能部は、１つの処理部に集積されてもよいし、各部は、物理的に別個に存在してもよいし、２つ以上の部が１つの部に集積されてもよい。
【０１３８】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施例に記載された方法のステップの全てまたは一部を実行させるための複数の命令を含む１つの記憶媒体に記憶されたソフトウェア製品の形態で具現化され得る。なお、前記記憶媒体としては、Ｕ-ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１３９】
以上、本発明の具体的な実施例を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【図１】
2021516477.tif 000003
【図２】
2021516477.tif 000004
【図３】
2021516477.tif 000005
【図４】
2021516477.tif 000006
【図５】
2021516477.tif 000007
【図６】
2021516477.tif 000008
【手続補正書】
【提出日】令和2年12月22日(2020.12.22)
【手続補正１】
【補正対象書類名】特許請求の範囲
【補正対象項目名】全文
【補正方法】変更
【補正の内容】
【特許請求の範囲】
【請求項１】
端末デバイスが下り制御情報ＤＣＩを受信することと、
前記端末デバイスが第１の上位層シグナリングに基づいて伝送遅延Ｋを決定することと、
前記端末デバイスが、前記ＤＣＩを受信した後に、前記Ｋ番目の時間領域リソースユニットにおいて、前記伝送遅延Ｋに応じて、ＳＲＳトリガー情報が示すＳＲＳリソースセットのＳＲＳリソースにおいてＳＲＳを伝送することとを含み、
前記ＤＣＩが前記ＳＲＳトリガー情報を含み、Ｋが０以上の整数である
ことを特徴とするサウンディングリファレンス信号ＳＲＳ伝送方法。
【請求項２】
前記方法は、さらに、
第１の上位層シグナリングの伝送遅延指示情報に基づいて前記伝送遅延Ｋを決定することを含む
ことを特徴とする請求項１に記載のＳＲＳ伝送方法。
【請求項３】
前記方法は、さらに、
ＤＣＩのＤＣＩフォーマットに基づいて前記伝送遅延Ｋを決定することを含む
ことを特徴とする請求項１に記載のＳＲＳ伝送方法。
【請求項４】
前記ＤＣＩのＤＣＩフォーマットに基づいて前記伝送遅延Ｋを決定することは、
前記ＤＣＩのＤＣＩフォーマットがＰＵＳＣＨ伝送をスケジューリングする場合、前記ＤＣＩ内のＰＵＳＣＨ時間領域リソース指示情報から前記ＰＵＳＣＨの伝送遅延Ｍを決定することと、
前記伝送遅延Ｍに基づいて、前記伝送遅延Ｋを決定することとを含む
ことを特徴とする請求項３に記載のＳＲＳ伝送方法。
【請求項５】
前記方法は、さらに、
前記ＳＲＳトリガー情報がトリガーするＳＲＳ伝送に使用されるサブキャリア間隔、又は、前記ＤＣＩを受信するＢＷＰに対応するサブキャリア間隔に基づいて、前記伝送遅延Ｋを決定することを含む
ことを特徴とする請求項１に記載のＳＲＳ伝送方法。
【請求項６】
前記方法は、さらに、
前記ＤＣＩを受信するＢＷＰに対応するサブキャリア間隔に基づいて、前記伝送遅延Ｋを決定することを含む
ことを特徴とする請求項１に記載のＳＲＳ伝送方法。
【請求項７】
前記ＳＲＳトリガー情報が示すＳＲＳリソースセットのＳＲＳリソースにおいてＳＲＳを伝送することは、
前記Ｋ番目の時間領域リソースユニットで、前記ＳＲＳトリガー情報が示す各ＳＲＳリソースセットに含まれる各ＳＲＳリソースにおいて、ＳＲＳ信号を伝送することを含み、  前記スロットリソースユニットがスロットである
ことを特徴とする請求項１〜６のいずれか１項に記載のＳＲＳ伝送方法。
【請求項８】
前記ＳＲＳトリガー情報が示すＳＲＳリソースセットのＳＲＳリソースにおいてＳＲＳを伝送することは、
前記ＤＣＩの所在のスロットで、前記ＳＲＳトリガー情報が示すＳＲＳリソースセットのＳＲＳリソースにおいてＳＲＳを伝送することを含み、
前記Ｋが０であり、
前記時間領域リソースユニットがスロットである
ことを特徴とする請求項１〜７のいずれか１項に記載のＳＲＳ伝送方法。
【請求項９】
前記方法は、さらに、
前記ＤＣＩにＳＲＳ電力制御のための送信電力制御ＴＰＣコマンドが含まれる場合、前記ＴＰＣコマンドを利用して前記ＳＲＳ伝送を電力制御することを含む
ことを特徴とする請求項１〜８のいずれか１項に記載のＳＲＳ伝送方法。
【請求項１０】
前記ＳＲＳトリガー情報が示すＳＲＳリソースセットのＳＲＳリソースにおいてＳＲＳを伝送することは、
前記ＳＲＳトリガー情報が複数のＢＷＰ上のＳＲＳリソースセットを示し、又は、複数のＢＷＰ上のＳＲＳリソースを含むＳＲＳリソースセットを示す場合、現在活性化されたＢＷＰ内のＳＲＳリソースにおいて、ＳＲＳを伝送することを含む
ことを特徴とする請求項１〜７のいずれか１項に記載のＳＲＳ伝送方法。
【請求項１１】
前記時間領域リソースユニットは、スロット、又は、サブフレーム、又は、直交周波数分割多重ＯＦＤＭシンボル、又は、マイクロスロット、又は、ＰＵＳＣＨ/ＰＤＳＣＨ伝送時間である
ことを特徴とする請求項１〜１０のいずれか１項に記載のＳＲＳ伝送方法。
【請求項１２】
通信ユニットと、処理ユニットと、を備える端末デバイスであって、
前記通信ユニットは、下り制御情報ＤＣＩを受信するように構成され、前記ＤＣＩがＳＲＳトリガー情報を含み、
前記処理ユニットは、第１の上位層シグナリングに基づいて伝送遅延Ｋを決定するように構成され、
前記通信ユニットは、さらに、前記ＤＣＩを受信した後に、前記Ｋ番目の時間領域リソースユニットにおいて、前記伝送遅延Ｋに応じて、前記ＳＲＳトリガー情報が示すＳＲＳリソースセットのＳＲＳリソースにおいてＳＲＳを伝送するように構成され、Ｋが０以上の整数である
ことを特徴とする端末デバイス。
【請求項１３】
前記処理ユニットは、さらに、
第１の上位層シグナリングに基づいて前記伝送遅延Ｋを決定するように構成され、
又は、
ＤＣＩのＤＣＩフォーマットに基づいて前記伝送遅延Ｋを決定する構成され、
ここで、
前記ＤＣＩのＤＣＩフォーマットに基づいて前記伝送遅延Ｋを決定することは、
前記ＤＣＩのＤＣＩフォーマットがＰＵＳＣＨ伝送をスケジューリングする場合、前記ＤＣＩ内のＰＵＳＣＨ時間領域リソース指示情報から前記ＰＵＳＣＨの伝送遅延Ｍを決定することと、
前記伝送遅延Ｍに基づいて、前記伝送遅延Ｋを決定することとを含む
ことを特徴とする請求項１２に記載の端末デバイス。
【請求項１４】
前記処理ユニットは、さらに、
前記ＳＲＳトリガー情報がトリガーするＳＲＳ伝送に使用されるサブキャリア間隔、又は、前記ＤＣＩを受信するＢＷＰに対応するサブキャリア間隔に基づいて、前記伝送遅延Ｋを決定するように構成される
ことを特徴とする請求項１２に記載の端末デバイス。
【請求項１５】
前記処理ユニットは、さらに、
前記ＤＣＩを受信するＢＷＰに対応するサブキャリア間隔に基づいて、前記伝送遅延Ｋを決定するように構成される
ことを特徴とする請求項１２に記載の端末デバイス。
【国際調査報告】
2021516477.tif 000009
2021516477.tif 000010
2021516477.tif 000011
2021516477.tif 000012